Podtech/llm-jp-corpus-v4-ja_patent huggingface dataset:
(57)【要約】      （修正有）【課題】赤ちゃんの入浴時や、猫や犬などのペットのシャンプー時などにタオル自体を保持する煩わしさがなく、容易に手から落ちることを防ぎ、濡れた体をしっかりと抱きかかえることと、体の水気をふき取るということを両立させるタオルを提供する。【解決手段】本考案は、タオルの使用中にタオル自体を両手で掴んで持つことなく使えるように、タオルの両サイドを、手先を入れることができる任意の寸法を目安に折り返して二重にし、その状態で縫製することで、タオルに両手をフィットさせるためのポケット部を設ける。【選択図】図２
0003109316.tif 000002
【実用新案登録請求の範囲】
【請求項１】
タオルの使用時に、タオル自体を保持する煩わしさをなくし、容易にタオルを手から落とすことなく使えるように、タオルの両サイドがポケット状になるように二重にしたポケット付タオル。そのポケット部へ手先を入れて使うことで、赤ちゃんの入浴後や、猫や小型犬などのペットのシャンプー後などに、体をしっかりと抱きながら、且つ、タオルを落とすことなく体の水気をふき取ることができるタオル。
【考案の詳細な説明】
【技術分野】
【０００１】    本考案は、赤ちゃんの入浴後や、猫や小型犬などのペットのシャンプー後に、タオル自体を保持する煩わしさがなく、よりしっかりと体を抱きかかえながら水気をふき取ることができるように、ポケット部を設けたタオルに関するものである。
【背景技術】
【０００２】    これまでのタオル、及び、バスタオルなどは、１枚の単なる布状のものであるため、なかなかじっとしていられない赤ちゃんやペットの体の水気をふき取るために、まず、しっかりとタオル自体を掴んで持っている必要があった。常に動いている体を抱きかかえながら、且つ、タオルを落とさないようにして、体の水気を拭きとる行為は容易ではなかった。
【考案の開示】
【考案が解決しようとする課題】
【０００３】    タオルの使用時に、赤ちゃんやペットの体をしっかりと抱きかかえることと、体の水気をふき取ることを両立させるべく、使用中にタオルがユーザーの手から容易に離れて落下しないように、タオルを両手にフィットさせる形状にし、前述の欠点を解決しようとするものである。
【課題を解決するための手段】
【０００４】    本考案は、タオルの使用中にタオル自体を両手で掴んで持つことなく使えるように、タオルに両手をフィットさせるためのポケット部を設けることで、タオル自体を保持する煩わしさがなく、赤ちゃんやペットの体を抱きかかえながら、且つ、タオルを落とさないようにして、体の水気を拭きとることが可能となるものである。
【考案の効果】
【０００５】    上述のように、本考案のポケット付タオルは、簡単に両手からタオルが落ちることがないので、タオル自体を保持する煩わしさがなく、赤ちゃんやペットの体をしっかりと抱きかかえることと、水気をふき取ることの両立が可能で、安心して利用してもらえるものである。
【考案を実施するための最良の形態】
【０００６】    タオルの両サイドを、手先を入れることができる任意の寸法を目安に折り返して二重にし、その状態で縫製することでポケット部を設ける。縫製の仕方により、ポケットのサイズや形状を変化させることも可能で、特別な構造や別パーツなどを後から取り付けたりすることなく、簡単に製造することができる。図１のような単純な折り方の場合には、裏返しにしても利用することが可能である。
【実施例】
【０００７】    以下、添付図面に従って実施例を説明する。本考案によるポケット付タオルは、タオル本体１の両サイドを折り返して二重にした状態で縫製し、２の波線部のようにポケットを設けることで、簡単に作成することができる。
【図面の簡単な説明】
【０００８】
【図１】本考案のポケット付タオルを広げた状態の図である。（矢印は、手先を入れる方向を示している。）
【図２】ポケット付タオルの使用状態の図である。
【図３】ポケット付タオルのバリエーションの例を示した図である。（矢印は、手先を入れる方向を示している。）
【符号の説明】
【０００９】１  タオル本体
２  ポケット部（波線のエリア）
【図１】
0003109316.tif 000003
【図２】
0003109316.tif 000004
【図３】
0003109316.tif 000005
【手続補正書】
【提出日】平成16年12月15日(2004.12.15)
【手続補正１】
【補正対象書類名】実用新案登録請求の範囲
【補正対象項目名】全文
【補正方法】変更
【補正の内容】
【実用新案登録請求の範囲】
【請求項１】
タオルの両サイドがポケット状になるように二重にしたポケット付タオル。
(57)【要約】      （修正有）【課題】グリーン上でのパッティング時、突起物をゴルフボールの真上にセットすることにより、目標方向に対して、フェース面を直角にすることが容易になり、その為カップに対してのラインが出しやすく、カップインの確率が高まるゴルフのパターを提供する。【解決手段】ゴルフのパター本体部１の上部２に、フェース面３の前面方向に、突起物４を設けたゴルフのパターを特徴とする。【効果】使用する時は、ゴルフボールの真上で突起物４を目標方向に向けて構えると、フェース面３は目標方向に対して、直角に構えられ、誰でもがカップインの確率が高まるのである。【選択図】図１
0003109353.tif 000002
【実用新案登録請求の範囲】
【請求項１】
ゴルフのパター本体部（１）の上部（２）に、フェース面（３）の前面方向に、突起物（４）を設けたゴルフのパター。
【考案の詳細な説明】
【考案の詳細な説明】
【技術分野】
【０００１】この考案は、ゴルフのパターのフェース前面方向に、突起物を設けたゴルフのパターに関するものである。
【背景技術】
【０００２】従来、ゴルフのパターの後部には、様々な工夫された物はあった。
【考案が解決しようとする課題】
【０００３】これは次のような欠点があった。
（イ）グリーン上でゴルフボールを打つ時、目標と球とゴルフのパターとの直線ラインを仮想しずらい物ばかりであった。
本考案は、この欠点を解決するためになされたものである。
【課題を解決するための手段】
【０００４】ゴルフのパター本体部（１）の上部（２）に、フェース面（３）の前面方向に、突起物（４）を設ける。
本考案は、以上のような構成よりなるゴルフのパターである。
【考案を実施するための最良の形態】
【０００５】ゴルフボールの真上で、突起物（４）が目標方向を向くようにして構えると、おのずとゴルフのパター本体部（１）のフェース面（３）は、目標に対して直角に構えられるのである。
【実施例】
【０００６】  以下、本案の実施例について説明する。
（イ）ゴルフのパター本体部（１）の上部（２）に、フェース面（３）の前面方向に、突起物（４）を設ける。
【考案の効果】
【０００７】  本案は以上のような構造で、これを使用する時は、ゴルフポールの真上で突起物（４）を目標方向に向けて構えると、フェース面（３）は目標方向に対して、直角に構えられ、誰でもがカップインの確率が高まるのである。
【図面の簡単な説明】
【０００８】
【図１】本考案の斜視図である。
【図２】本考案の断面図である。
【符号の説明】
【０００９】（１）ゴルフのパター本体部  （２）上部  （３）フェース面  （４）突起物
【図１】
0003109353.tif 000003
【図２】
0003109353.tif 000004
(57)【要約】      （修正有）【課題】セメントやコンクリートが固まる前に、誰にでも平に均すことができる水準器の付いた左官ごてを提供する。【解決手段】左官ごて１の中心線上に水準器２を左官ごての平面４と平行になるように固定した。水準器３は少し湾曲した透明の管に気泡のある液体を入れ、透明の管を平行にした時に気泡が管の中央に来るようになっている水準器を使用した。【選択図】図１
0003109354.tif 000002
【実用新案登録請求の範囲】
【請求項１】
左官ごてに水準器を付け一体にした水準器付き左官ごて。
【考案の詳細な説明】
【考案の詳細な説明】
【技術分野】
【０００１】  本考案は、セメントやコンクリートが固まる前に平に均すときに使う左官ごてに関するものである。
【背景技術】
【０００２】  セメントやコンクリートが固まる前に、平に均すときに左官ごてを使う、技能を持った人でないと平に均すことが難しく、誰にでも平に均すことができる水準器の付いた左官ごては提供されていない。
【考案が解決しようとする課題】
【０００３】  本考案は、以上のような従来の問題点を解決し、誰でもがセメントやコンクリートが固まる前に、平に均すことが出来るようにすることを解決の課題とするものである。
【課題を解決するための手段】
【０００４】  本考案は、左官ごて（１）の中心線上に水準器（２）を左官ごての平面（４）と平行になるように固定した左官ごてである。
【実施例】
【０００５】  以下、本考案の実施例を添付図を参照しながら詳細に説明する。
図１は左官ごての平面図で、本体（１）、取っ手（２）、水準器（３）である、図２は左官ごて本体（１）の平面（４）と水準器（３）を平行に固定した左官ごての側面図である。【０００６】  水準器（３）は少し湾曲した透明の管に気泡のある液体を入れ、透明の管を水平にした時に気泡が管の中央に来るようになっている水準器を使用した。
【考案の効果】
【０００７】  本考案は、以上説明したように構成されているので、下記に記載されるような効果を要する。
【０００８】  セメントやコンクリートが固まる前に水平に均すとき、この水準器付き左官ごてを使えば、水準器を見ながら施工するので、誰にでも水平に均すことができる。
【図面の簡単な説明】
【０００９】
【図１】  水準器付き左官ごての実施例を示す平面図である。
【図２】  左官ごてのセメント等を均す平面と平行に水準器を固定した実施例を示す図１の側面図である。
【符号の説明】
【００１０】  １  左官ごて本体
２  取っ手
３  水準器
４  平面
【図１】
0003109354.tif 000003
【図２】
0003109354.tif 000004
(57)【要約】【課題】  片方の肩ばかりに負担がかからず、しかも背中へのフィット感を確保できる袈裟懸け式デイパックを提供する。【解決手段】  袈裟懸け式デイパックの背あてパッド１を収納部の峰部分を軸として裏返しボタン２で収納部に固定できるようにする。収納部の荷物出し入れ口３は、両面に開口する。【選択図】  図１
0003109358.tif 000002
【実用新案登録請求の範囲】
【請求項１】
袈裟懸け式デイパックであって、背あてパッドが、収納部の峰に接着する線を軸として裏返り反対面に移動するデイパック。
【請求項２】
請求項１に記載のデイパックの収納部において、荷物出し入れ口が両面に開口しているデイパック。
【考案の詳細な説明】
【技術分野】
【０００１】  本案は、ウォーキングなどに使用する袈裟懸け式デイパックに関するものである。
【背景技術】
【０００２】  ウォーキングなどに手軽に携行できるデイパックとして袈裟懸け式のものがあるが、どちらか固定した片方の肩に懸けるための構造になっている。通常一般的には、右肩から左脇下に懸ける物である。
【考案の開示】
【考案が解決しようとする課題】
【０００３】  通常の袈裟懸け専用のデイパックは右肩から左脇下に懸ける方式になっており、収納部もこれに適合するような三角形の形状となっている。これは長時間使用するときに右肩ばかり疲れる。怪我や故障などで右肩に懸けることに何らかの支障が生じたときにも不便である。かといって左肩に懸けると、収納部の形状が不自然となり背中にフィットしない。
【課題を解決するための手段】
【０００４】  袈裟懸け式デイパックを裏返して反対の肩で使用することができるようにする。その際背あてパッドは、裏返して反対側に移動することができるようにする。
【考案の効果】
【０００５】  右肩から斜めに懸けても左肩から斜めに懸けても、背中にフィットした形状で違和感無く使用することができる。
【考案を実施するための最良の形態】
【０００６】  背あてパッドの端を収納部に固定するのにはボタンのほかマジックテープ等にしてもよい。
【図面の簡単な説明】
【０００７】
【図１】  背あてパッドが裏返せること及び両側面に荷物出し入れ口があることを示す斜視図である。
【図２】  右肩懸けの場合の形状を示した側面図（裏表）である。
【図３】  裏返して左肩懸けとした場合の形状を示した側面図（裏表）である。
【符号の説明】
【０００８】  １  背あてパッド
２  背あてパッド留めボタン（背あてパッドを収納部に固定するため、背あての三角形の固定されていない頂点の両面と、それに相応する収納部の両面の端にそれぞれ雄雌対となるように配置する。）
３  荷物出し入れ口（ファスナー）
【図１】
0003109358.tif 000003
【図２】
0003109358.tif 000004
【図３】
0003109358.tif 000005
(57)【要約】      （修正有）【課題】樹脂基材と、印刷層と、低粘着層とからなる再貼付可能な低粘着性ポップシートにおいて、主たる表示部の外部に操作用突出部を設けることにより、自然剥離を防止できる低粘着性ポップシートを提供する。【解決手段】主たる表示部５の外部に操作用突出部６を設ける事により、ポップシートの貼り剥がし作業を繰り返し行って保持部の粘着力が低下しても、主たる表示部５の粘着力は良好のまま保たれる。また保持部の樹脂基材等に歪が生じても、主たる表示部に対してはなんら歪を生ずる事がない。このため温度変化や結露等の外的条件によって、低粘着性ポップシートが自然剥離することを防止できる。【選択図】図１
0003109351.tif 000002
【実用新案登録請求の範囲】
【請求項１】
樹脂基材と、印刷層と、低粘着層とからなり、ガラス等の平滑面に貼着する事を目的とする再貼付可能な低粘着性ポップ（ＰＯＰ）シートにおいて、主たる表示部の外部に操作用突出部を設ける事を特徴とする低粘着性ポップシート。
【考案の詳細な説明】
【技術分野】
【０００１】  本考案は屋内外に展示される車両のガラス面や車体あるいはショーウィンドー等に短期間表示されるポップ（ＰＯＰ）シートの改良に関する。
【背景技術】
【０００２】  従来、中古車展示場等に展示される車両には、当該車両の仕様や価格に関する情報を記した再貼付可能なポップシートを車両のフロントウィンドーの内側や外側、あるいは車体上に貼付して商品情報の表示を行っていた。このようなポップシートは低粘着面で商品等に貼着しているので何度でも貼り替えが可能であり、剥がしても貼り痕が残ることがないので繰り返し貼り替えを行う表示に適している。
【考案の開示】
【考案が解決しようとする課題】
【０００３】  しかしながら、このような従来の低粘着性のポップシートでは、使用途中で自然と剥離しやすいという問題があった。
【課題を解決するための手段】
【０００４】  本考案は、上記の問題点に鑑み、樹脂基材と、印刷層と、低粘着層とからなる再貼付可能な低粘着性ポップシートにおいて、主たる表示部の外部に操作用突出部を設ける事により、自然剥離を防止できる低粘着性ポップシートを提供する。
【考案の効果】
【０００５】  真夏の炎天下では車体表面やフロントウィンドー内側は８０度以上の高温となることがある。また低温時には車体表面やフロントウィンドーの内外で結露を起こすことがある。このためポップシートの樹脂基材等が変形したり、結露することによって低粘着面が剥離することがある。【０００６】  特に、主たる表示面の一部を保持して、ポップシートの貼り剥がし作業を繰り返し行うと保持部の粘着力が低下し、さらに保持部の樹脂基材等に対して歪を生ずる事になる。このためポップシートが保持部から自然と剥離して、自重によって落下したり、一部が剥がれたまま展示の品質を劣化させることになる。【０００７】  本考案では、主たる表示部の外部に操作用突出部を設ける事により、ポップシートの貼り剥がし作業を繰り返し行って保持部の粘着力が低下しても、主たる表示部の粘着力は良好のまま保たれる。また保持部の樹脂基材等に歪が生じても、主たる表示部に対してはなんら歪を生ずる事がない。このため温度変化や結露等の外的条件によって、低粘着性ポップシートが自然剥離することを防止できる。
【考案を実施するための最良の形態】
【０００８】  本考案のポップシートは、樹脂基材と印刷層と低粘着層とからなる再貼付可能な低粘着性ポップシートであって、主たる表示面の外部に操作用突出部を設ける構成となっている。本考案のポップシートの貼付に際しては、主たる表示面の外部に設けた操作用突出部を保持し、ガラス等の平滑面に対してスキージ等を使用して気泡が入らないように貼着する。また剥離させる場合は、同様に主たる表示面の外部に設けた操作用突出部を保持して貼着面に対して垂直方向に引っ張ることによって、主たる表示面に対して、粘着力の低下や歪を生ずることなく、何度でも貼り替え作業を行うことができる。
【実施例】
【０００９】  図２は第一の実施例を示す断面図である。樹脂基材１としてポリエチレンテレフタレート（ＰＥＴ）やポリエステル（ＰＥ）等からなる厚さ１０〜１００μｍ程度のフィルムを用い、この樹脂基材フィルムの背面側にインクジェット用受理層２を、さらに樹脂基材の前面側に厚さ２００μｍ以下、好ましくは２０〜５０μｍ程度のシリコンゴム等からなる低粘着層３を積層する。さらに低粘着層３上に剥離紙４を積層する。ポップシートとしての使用では１００μｍ程度のＰＥＴフィルムが弾力性と粘着性の点で良好である。【００１０】  図１は第一の実施例の平面図である。主たる表示部を形成する矩形部分５と、前記矩形部分の外部に一部突出する形で半円形の操作用突出部６を設ける。【００１１】  主たる表示部を形成する矩形部分５に対して、インクジェットプリンターによってインクジェット用受理層側に鏡像印字で裏打ち印刷し、さらに必要に応じて白止め印刷を行う。本実施例のインクジェット用受理層２はインクジェット以外の印刷に適したフィルムや他の印刷物を貼着するための粘着層であっても良い。【００１２】  図３は第二の実施例を示す断面図である。ポリエチレンテレフタレート（ＰＥＴ）やポリエステル（ＰＥ）等からなる厚さ１０〜１００μｍ程度の樹脂基材１の前面側にインクジェット用受理層２を、さらに樹脂基材１の背面側にシリコンゴム等からなる低粘着層３を積層する。さらに低粘着層３上に剥離紙４を積層する。【００１３】  本実施例においても図１を用いて説明する。主たる表示部を形成する矩形部分５に対して、インクジェットプリンターによってインクジェット用受理層側に正像印字で表打ち印刷を行う。本実施例のインクジェット用受理層２はインクジェット以外の印刷に適したフィルムや他の印刷物を貼着するための粘着層であっても良い。【００１４】  本考案では、主たる表示部を矩形部分として説明したが、他の形状たとえば円形であっても主たる表示部を形成する円形部分から外部に操作用突起部を設けることによって同様の効果を発揮できることは自明である。
【図面の簡単な説明】
【００１５】
【図１】  第一の実施例を示した平面図である。
【図２】  第一の実施例を示した断面図である。
【図３】  第二の実施例を示した断面図である。
【符号の説明】
【００１６】    １  樹脂基材
２  インクジェット用受理層
３  低粘着層
４  剥離紙
５  主たる表示部を形成する矩形部分
６  操作用突出部
【図１】
0003109351.tif 000003
【図２】
0003109351.tif 000004
【図３】
0003109351.tif 000005
(57)【要約】      （修正有）【課題】従来のように本を守ることのみを目的とするのではなく、しおり機能を兼ねた肩下げヒモをとりつけることで、より簡易に本やノートを肩から吊り下げて携帯することを可能とするブックカバーを提供する。【解決手段】カバー１に肩ヒモ兼しおり３をとりつけ、このヒモをしおりとして本にはさむためにまわすことで本を安定させ、そのヒモがそのまま肩ヒモとなって肩や首から吊り下げることを可能とする。また、ボタン４に巻き付けヒモ５を巻き付けることによって本が開くことを押さえている。【選択図】図７
0003109360.tif 000002
【実用新案登録請求の範囲】
【請求項１】
カバー本体１の背表紙部の端に取り付けられたハトメ２に輪状に通されている肩ヒモ兼しおり３が、使用時にはページの間に挟み込まれてしおりを兼ね、さらに吊り下げられた本のバランスを安定させることで、簡易に本やノートを肩から吊り下げて形態できることを特徴とするブックカバーもしくはノートブックカバー。
【考案の詳細な説明】
【考案の詳細な説明】
【背景技術】
【０００１】  従来のブックカバーは本を汚れ等から守ることを目的としていたため、さらなる機能は付加されていなかった。そのため、本やノートを携帯するためにはその他にさらに、しおり、かばん等を必要とした。
【考案が解決しようとする課題】
【０００２】  従来のように本を守ることのみを目的とするのではなく、しおり機能を兼ねた肩下げヒモをとりつけることで、より簡易に本やノートを携帯することを可能とするブックカバーを提供する。
【課題を解決するための手段】
【０００３】  上記目的を達成するために、本発明は、カバー本体１に肩ヒモ兼しおり３をとりつけ、このヒモをしおりとして本にはさむためにまわすことで本が安定し、肩や首から吊り下げることを可能とする。また、ボタン４に巻き付けヒモ５を巻き付けることによって本が開くことを押さえている。
【考案の実施形態】
【０００４】  以下、図を用いて本考案の実施の形態について説明する。図１、図２はこのブックカバーの本装着前の状態である。カバ−本体１の端のほつれを防止するための処理として、まつり縫い７をほどこし、強度を増している。またその上にシリコンプリント６をほどこし、さらなる強化を図っている。カバー本体１の背表紙部分の端にハトメ２を取り付け、そこに肩ヒモ兼しおり３を通している。また内側にはペン用ポケット８を設け、ペン等を２本程度収納することができる。
【０００５】  図３〜図５は本１０装着の手順の説明図である。まず、本１０の表紙部分を本カバー１の両サイドのポケット９に差し込む。ペン等を収納する場合はペン用ポケット８に収納する。次に、本１０の厚さに合わせてカバー本体１のポケット９の余り部分を折り返す。この時、シリコンプリント６の部分が合わさり、滑り止めの効果を発揮する。次に、後ほどぱっと開きたいページを選んで開き、肩ヒモ兼しおり３をハトメ２から逆の端までまわす。
【０００６】  図５の後、本を閉じた状態が図６である。この時、肩ヒモ兼しおり３は、前段階で挟み込んでいたページに挟まっている。ハトメ２から逆の端まで肩ヒモ兼しおり３が挟まってまわり込んでいるので、本１０は安定して吊り下げられた状態となる。
【０００７】  図７は、ブックカバーを装着した本１０が開いてしまわないように、巻き付けヒモ５をボタン４に巻き付けた状態である。
【０００８】  図８は、本１０装着時に肩ヒモ兼しおり３をページに挟み込んでいない状態である。
【０００９】  図９は、ブックカバーの使用時の状態である。ショルダーバックのように肩から下げて使用する。両手は自由になり、その他の袋は必要ない。
【００１０】  図１０は、ブックカバーの使用時の状態である。ボタン４に巻き付けられた巻き付けヒモ５をほどき、肩ヒモ兼しおり３を頼りにページを開く。この時ハトメ２に通している肩ヒモ兼しおり３が自由にスライドすることで、作業をスムーズに行うことができる。
【００１１】図１１は肩ヒモ兼しおり３の拡大図である。本の紙を傷めないことと、吊り下げヒモとしての強度を得るために、２本の平たいヒモを縫い合わせている。
【考案の効果】
【００１２】  このようにすることで、外出時にしおりや持ち運ぶためのかばん等を必要とすることなく、本１冊、ノート１冊を簡単に肩から下げて携帯することが可能となる。
【図面の簡単な説明】
【図１】展開状態の表面の平面図である。
【図２】展開状態の裏面の平面図である。
【図３】本の装着手順１を示す図である。
【図４】本の装着手順２を示す図である。
【図５】本の装着手順３を示す図である。
【図６】装着時の裏面の斜視図である。
【図７】装着時の表面の斜視図である。
【図８】肩ヒモ兼しおり３を挟み込む前の斜視図である。
【図９】使用時に肩から下げた状態の図である。
【図１０】使用時にページを開いている状態の図である。
【図１１】肩ヒモ兼しおりの拡大図である。
【符号の説明】
１  カバー本体
２  ハトメ
３  肩ヒモ兼しおり
４  ボタン
５  巻き付けヒモ
６  シリコンプリント
７  まつり縫い
８  ペン用ポケット
９  ポケット
１０  本
【図１】
0003109360.tif 000003
【図２】
0003109360.tif 000004
【図３】
0003109360.tif 000005
【図４】
0003109360.tif 000006
【図５】
0003109360.tif 000007
【図６】
0003109360.tif 000008
【図７】
0003109360.tif 000009
【図８】
0003109360.tif 000010
【図９】
0003109360.tif 000011
【図１０】
0003109360.tif 000012
【図１１】
0003109360.tif 000013
(57)【要約】      （修正有）【課題】高い機能性・実用性を提供する。【解決手段】給水先切替弁１２と給水源切替弁１１の２台の三方弁を組付ケース２４を介し機能方向を揃えて組付けられている。２台の三方弁の操作レバー部には連結器２２が取付けられ、これにより２台の三方弁を同時（ワンタッチ）に方向切替えが可能となり、切替え間違いや切替え忘れも防止出来る。更に、操作切替レバー２１は延長操作棒を介して取付けられている。この延長操作棒２３により２台の三方弁を室外設置、浴室等室内には切替えレバー２１だけとなり室内スペース占有や美観を損なう事もない。【選択図】図４
0003109326.tif 000002
【実用新案登録請求の範囲】
【請求項１】
一台のポンプで風呂の水を貯水タンクに送水し、同貯水タンク内の水を水利用装置へ送水する節水設備において、必要不可欠の２台の三方弁を組付けケースにて機能的に組み合わせ夫々の操作部に連結器を取り付け２台の三方弁をワンタッチで切替え可能とした事。更に切替えレバーを延長し浴室等室内から操作可能としたワンタッチ切替バルブ。
本考案は節水設備に限らず、同様の切替えを要する装置や設備にも利用可能なワンタッチ切替バルブ。
【考案の詳細な説明】
【技術分野】
【０００１】
本考案は、節水設備に関する。
【背景技術】
【０００２】
【特許文献１】実用新案登録第３０８３５７４号
【０００３】
図１及び図２は先願（実用新案登録第３０８３５７４号）のシステム図である。同図において、符号２は節水対象の風呂、符号１は節約水を貯蔵する貯水タンク、符号３は節約水再利用装置である。そして符号４のポンプは夫々に送水を行うものである。この考案は３箇所への送水と給水を符号４の１台のポンプにより行う事を特徴としたものである。この考案及び同様用途では符号１２の給水先切替弁と符号１１給水源切替弁の２台の弁が不可欠である。
【考案の開示】
【考案が解決しようとする課題】
【０００４】
先願（実用新案登録第３０８３５７４号）のシステムでは給水先切替弁１２と給水源切替弁１１の２台の三方弁を切替えの都度、夫々の切替えレバーを操作する煩雑さと誤操作の問題がある。更に、室外設置であれば都度の切替えの煩雑さが大きな問題である。利便性の為に浴室等の室内に設置すれば、この２台の三方弁が室内の占有と美観を大きく損なう事になる。
【０００５】
本考案により節水設備他、同様の切替えを要する装置や設備のかかる課題に対してより高い機能性・実用性を提供する事を目的とする。
【課題を解決するための手段】
【０００６】
請求項１では２台の三方弁を給水先切替と給水源切替えの機能方向を揃え一体組付けして２台それぞれの操作部を連結器にて連結させた切替レバーを設けたことを特徴とする。この切替レバーを延長操作棒により遠隔操作可能とした。以上の手段により２台の三方弁の切替えを一操作、即ちワンタッチで切替えを可能とした。延長レバーにより弁は室外に置く事が出来、浴室等の室内から操作可能とした。
【考案の効果】
【０００７】
請求項１の考案によれば、２台の三方弁を同時（ワンタッチ）に方向切替えが可能となり、切替え操作間違いも防止出来る。更に、操作切替レバー２１は延長操作棒２３を介して取付けられている事により、浴室等室内に切替えレバー２１だけの設置のみに出来、室内スペースの占有や美観を損なう事がない。勿論、節水設備に限らず、同様の切替を要する装置や設備にも利用可能である。
【考案を実施するための最良の形態】
【０００８】
次に、本考案の実施形態を図面に基づき説明する。
【実施例１】
【０００９】
図１及び図２は先願（実用新案登録第３０８３５７４）の節水設備のシステム図である。図１は風呂水を貯水タンクへ給水する時の水の流れ図である。次に図２は貯水した節約水を水利用装置へ給水している時の水の流れ図である。この考案は１台のポンプで図１及び図２の流れを可能としたことを特徴とし、２台の三方弁が不可欠である。しかるに図１の状態から図２の状態への切替えは給水先切替弁１２と給水源切替弁１１の切替レバーをそれぞれ９０度回転操作する必要がある。
【実施例２】
【００１０】
図３は今回考案のワンタッチ切替バルブ２０を組み入れた、本実施形態の節水設備のシステム図である。流れの状態は貯水タンク１から給水源切替弁１１〜ポンプ４〜給水先切替弁１２を経て水利用装置行きである。
【００１１】
図４は本実施形態のワンタッチ切替バルブ２０の実態略図である。給水先切替弁１２と給水源切替弁１１の２台の三方弁を組付ケース２４を介し機能方向を揃えて組付けられている。２台の三方弁の操作レバー部には連結器２２が取付けられ、これにより２台の三方弁を同時（ワンタッチ）に方向切替えが可能となり、切替え間違いや切替え忘れも防止出来る。更に、操作切替レバー２１は延長操作棒を介して取付けられている。この延長操作棒２３により２台の三方弁を室外設置、浴室等室内には切替えレバー２１だけとなり室内スペース占有や美観を損なう事もない。
【図面の簡単な説明】
【００１２】
【図１】先願（実用新案登録第３０８３５７４）の節水設備のシステム図である。風呂水を貯水タンクへ給水する時の水の流れ図である。
【図２】図１同システム図で、貯水した節約水を水利用装置へ給水している時の水の流れ図である。
【図３】今回考案のワンタッチ切替バルブ２０を組み入れた、本実施形態の節水設備のシステム図である。水の流れは貯水した節約水を水利用装置へ給水している状態である。
【図４】図４は本実施形態のワンタッチ切替バルブ２０の実態略図である。ワンタッチ切替バルブ２０は給水先切替弁１２と給水源切替弁１１の２台の三方弁を組付ケース２４を介し機能方向を揃えて組付けられている。他に連結器２２、延長操作棒２３、切替レバー２１で構成されている。
【符号の説明】
【００１３】
１    貯水タンク
２    風呂
３    水利用装置
４    ポンプ
１０    節水設備
１１    給水源切替弁
１２    給水先切替弁
２０    ワンタッチ切替バルブ
２１    切替レバー
２２    連結器
２３    延長操作棒
２４    組付ケース
【図１】
0003109326.tif 000003
【図２】
0003109326.tif 000004
【図３】
0003109326.tif 000005
【図４】
0003109326.tif 000006
【手続補正書】
【提出日】平成16年12月9日(2004.12.9)
【手続補正１】
【補正対象書類名】実用新案登録請求の範囲
【補正対象項目名】請求項１
【補正方法】変更
【補正の内容】
【請求項１】
一台のポンプで、一方は風呂の水を貯水タンクに送水（以下Ａ送水）、もう一方は貯水タンク内の水を水利用装置へ送水（以下Ｂ送水）する節水設備において、Ａ送水又はＢ送水に自在切替え用の２台の三方弁において、
（１）２台の三方弁を固定する組付けケース２４。
（２）２台の三方弁の切替え作動部に取付けの作動回転力を伝える連結器２２。
（３）連結器２２に取付けの設置場所に応じた回転力を伝える任意長さの延長操作棒２３。
（４）延長操作棒２３の先に取付けの切替えレバー２１。
以上（１）〜（４）の組合せ構成により、一つの切替えレバーで２台の三方弁を同時に切替えを可能とした事を特徴とする、ワンタッチ切替え弁。
(57)【要約】      （修正有）【課題】医療行為やこれに類する行為において資機材を準備する際に、資機材を漏れなく迅速に準備できるようにする。【解決手段】所定の医療行為もしくはこれに類する行為に要する資機材の準備に用いるシートであって、前記シート表面に前記資機材を等倍で表した図を配列した医療用資機材準備シートを用いて、準備者が必要な資機材をシート上に配列された図の上に置いていくことで、迅速かつ漏れのない資機材の準備が可能となる。  【選択図】図１
0003109330.tif 000002
【実用新案登録請求の範囲】
【請求項１】
所定の医療行為に要する資機材の準備に用いるシートであって、
前記シート表面に前記資機材を等倍で表した図を配列した医療用資機材準備シート。
【請求項２】
前記シートを１枚ごとに滅菌して封入する袋体を有する請求項１に記載に医療用資機材準備シート。
【請求項３】
前記図の近傍に、この図が示す資機材に関する情報を付記した請求項１又は２に記載の医療用資機材準備シート。
【考案の詳細な説明】
【技術分野】
【０００１】
本考案は医療行為もしくはこれに類する行為に用いる資機材を準備する際に用いるシートに関する。
【背景技術】
【０００２】
医療行為、特に、救急医療においては、迅速かつ正確な措置を行うことは極めて重要であり、資機材の準備に際しても一刻を争う場合も多い。このために、例えば、救急救命士が気管挿管のための資機材を準備する際には、清潔な紙の上に、救急救命士が必要な資機材を一つ一つ迅速に配列しながら準備することが行われている。
【考案の開示】
【考案が解決しようとする課題】
【０００３】
しかし、資機材を配列するのは救急救命士の記憶に頼って行っているために、人によっては、準備品の一部を忘れてしまったり、記憶があいまいで準備に時間がかかってしまう場合もあった。
本考案は、このような問題に鑑みて、医療行為やこれに類する行為において資機材を準備する際に、資機材を漏れなく迅速に準備できるようにすることを課題とする。
【課題を解決するための手段】
【０００４】
上記課題を解決するために、本考案は次のような構成を有する。
請求項１に記載の考案は、所定の医療行為もしくはこれに類する行為に要する資機材の準備に用いるシートであって、前記シート表面に前記資機材を等倍で表した図を配列した医療用資機材準備シートである。なお、本願において、医療行為もしくはこれに類する行為には、医師や救急救命士に認められる医療行為が含まれるほか、看護師や介護福祉士が対象者に対して行う検診や医療ケアなどの行為が含まれる。また、図には写真が含まれる。
請求項２に記載の考案は、前記医療用資機材準備シートにおいて、前記シートを１枚ごとに滅菌して封入する袋体を有するものである。
請求項３に記載の考案は、前記医療用資機材準備シートにおいて、前記図の近傍に、この図が示す資機材に関する情報を付記したものである。資機材に関する情報には、資機材の名称や、資機材の使用方法、使用に際しての注意事項などが例示できる。
【考案の効果】
【０００５】
請求項１に記載の考案は、準備者が必要な資機材をシート上に配列された図の上に置いていくことで、迅速かつ漏れのない資機材の準備が可能となる。
請求項２に記載の考案は、前記シートを１枚ごとに滅菌して封入した袋体を使用に際して開封してシートを取り出して使用することで、準備する資機材をより確実に清潔な状態に保つことができる。
請求項３に記載の考案は、前記図の近傍に、この図が示す資機材に関する情報を付記することで、準備者の各資機材の準備を補助したり、使用に際しての利便性を向上させたりすることができる。
【考案を実施するための最良の形態】
【０００６】
以下、本考案の実施形態について、図を参照しながら説明する。
図１に本考案に係る医療用資機材準備シートXを表す平面図を示す。この医療用資機材準備シートXは救急救命士が使用することが想定さている。この医療法資機材準備シートXは樹脂コーティングされた紙でできたシート本体１０と、シート本体１０を滅菌処理したのちに、これを封入するポリエチレンの袋体２０より構成される。シート本体１０の表面には、医療行為としての気管挿管に用いる資機材を表す図１１がそれぞれの資機材と等倍の大きさで印刷により表示されている。これらの各図は準備に支障がない程度の間隔を空けて配列されている。また、各図の近傍には、図に示される資機材の名称１１ａが印刷され、また、必要に応じて、資機材の準備や使用に際して参考になる情報１１ｂが印刷されている。これに加えて、医療用資機材準備シートXの使用に際しての注意事項１２も印刷されている。
次に、以上のような構成を有する医療用資機材準備シートXの使用方法を説明する。これを使用する救急救命士は、袋体２０を破ってシート本体１０を取り出し、この上に、必要な資機材を図および名称を確認しながら、図の上に資機材が重なるように配列していく。その後、患者の状況に応じて必要な機材を用いて気管挿管を行う。使用後、医療用資機材準備シートXは廃棄する。
このように、図を見ながら資機材を配列していくことで資機材を準備するので、早く間違いない準備ができ、スムーズな運用によって１分１秒を争う患者の救命率の向上につながる。また、救急救命士が救急現場で患者から手が離せず、自ら準備ができな状況でも、本医療用資機材準備シートを利用することにより、知識のない他の隊員でも必要な資機材を準備することが可能となる。
なお、上記実施形態では、シート本体１０を袋体２０にそのまま封入しているが、これは、図２に示すように携帯に適した大きさの袋体２０にシート本体１０を折りたたんで、封入するようにしてもよい。
【図面の簡単な説明】
【０００７】
【図１】考案の実施形態に係る医療用資機材準備シートの平面図である。
【図２】医療用資機材準備シートの封入状態の他の例を示す斜視図である。
【符号の説明】
【０００８】
Ｘ  医療用資機材準備シート
１０      シート本体
１１      図
１１ａ    名称
１１ｂ    資機材に関する情報
２０      袋体
【図１】
0003109330.tif 000003
【図２】
0003109330.tif 000004
【手続補正書】
【提出日】平成17年1月4日(2005.1.4)
【手続補正１】
【補正対象書類名】実用新案登録請求の範囲
【補正対象項目名】請求項１
【補正方法】変更
【補正の内容】
【請求項１】
所定の医療行為に要する資機材の準備に用いるシートであって、
前記シート表面に前記資機材を等倍で、所定間隔を空けて配列した図を印刷により表した平面構造を有する医療用資機材準備シート。
(57)【要約】      （修正有）【課題】液晶パネルの背面に反射率が高い素材に印刷されたデザイン画などが、全面に配置された液晶パネルが点滅する事でデザイン画自体が点滅しているような効果を持つ。【解決手段】樹脂などで出来た筐体にＩＣ基盤、電源、印刷物などの素材と液晶パネルを組み込み透明の蓋またはエポキシなどの樹脂によりこれらの部品を封入した製品。液晶画面全体や一部が通電時には黒くなり、無通電時には透明になるように点滅を繰り返す液晶パネルにより、その背面に配置されたデザイン画や造形物が見え隠れする。【選択図】図１
0003109325.tif 000002
【実用新案登録請求の範囲】
【請求項１】
点滅をくり返すように制御された液晶パネルを印刷物や造型物の上面に配置した製品を作り、注視させたい印刷物や造型物が見えたり、隠れたりする事を繰り返す製品。視覚的には印刷物や造形物が点滅しているようにみせて、一段と人目に付く様にした製品を安価に製造する。
【考案の詳細な説明】
【考案の詳細な説明】
【産業上の利用分野】
【０００１】  この考案は、印刷物や造形物の上面にＩＣ基盤等で点滅を繰り返すように制御した白黒の液晶パネルを配置して、背面にある印刷物や造型物が点滅している様に見える製品を提供する。液晶パネルは白黒の物を使用するが、背面に配置するデザイン等は通常のプリンターなどで安価に印刷できるカラフルなデザインを使用できる。また、反射率の高い素材にカラフルなデザインを印刷すると、その印刷物自体が発光点滅している様に見えるので普給品である白黒の液晶パネルで十分な目的が安価に達成できる。
点滅をくり返すような物は人目を引くので、文字や写真等のデザインなどに注意が向けられる。
以下、キーホルダーを例にした製作図を用いて本考案部品の詳細を説明する。
【背景技術】
【０００２】  デザインや造型物が点滅をくり返す事により、それらに注視を集める製品を場合は、カラー液晶ディスプレーを複雑な制御方法を使用して液晶パネルに表示してきた。【０００３】  また、印刷物や贈景物に直接ＬＥＤなどの光源を照射して注視を集めることはできるが、この場合いは印刷物や像形物を黒く覆うことはできないため、注視を集める効果がすくない。【０００４】  簡単な方法としては２枚の透明樹脂などに挟まれた印刷物を使ってキーホルダーなどを製造出来るが、挟まれた印刷物等の素材やインクに含有された成分によりデザインが変化して見えるなどの技術しか使用されていなかったため、注視を集める効果は限定的である。
【考案が解決しようとする課題】
【０００５】  デジタル時計などに使用されている安価な白黒液晶パネルを点滅をくり返すように制御して、カラープリンターなどで印刷されたカラフルなデザイン画や像形物の上面に配置することにより、人の注視を集める製品を製作する。
【０００６】  樹脂などで出来た筐体に、通電時には画面の全体または一部が黒くなるデジタル時計などに使われる白黒液晶パネルの背面に光の反射率の高い紙に印刷したデザイン画や像形物を配置して、点滅を制御する簡易なＩＣ基盤と動作用のボタン電池や太陽発電パネルなどの電源と共に組み込む。さらに透明樹脂の蓋やエポキシ樹脂をいれて封入する。
【０００５】  本考案は点滅することにより、普通のキーホルダーなどの小物製品に新しい分野を提案する物になり、従来の製品にはなかった機能性を持たせる為に考案されたものである。
【課題を解決するための手段】
【０００７】  安価に宣伝効果や人の注視度を高めるために、通電時に黒くなると背面に配置したデザイン画等が見えなくなり、無通電時には見える事を繰り返して点滅する白黒の液晶パネルをデザイン画等の前面に配置するという従来の技術であるデザイン画等自体がが点滅すると言う事とは異なる発想により、デザイン画が点滅する効果と同じ注視効果を安易に得る事ができる。
【作用】
【０００８】  本考案製品の提案により、液晶ディスプレーの背面に配置した反射率の高い素材上に印刷されたデザイン画や像形物を通電時に画面が黒くなりそれらを隠し、通電していない時には透明になり、背面のデザイン画や造形物が見えるということにる。これは素材自体が発光または点滅する事と同じ作用がある。
【実施例】
【０００９】  実施例について図面を参照して説明する。
図１はキーホルダーを例にした樹脂製などの筐体に部品を収納する斜視図。
図２は出来上がったキーホルダーを例にした無通電時と通電時のデザインの見え方。
【本考案の効果】
本考案は上述のとおり構成されているので、次に記載する効果を発する。
【００１０】  点滅を繰り返す液晶パネルの裏面に配置されたデザイン画の印刷物や像形物がそのデザイン自体が発光を繰り返しているような効果により、大変に目立つ製品が普及品の白黒液晶パネルを使用する事により安価に製造できる。キーホルダーや携帯ストラップに取り付けられるマスコットはもちろん、店舗用の宣伝用のディスプレーなど色種々入り色な製品に使用できる。また、構造が簡単なため厚みが薄く製造できる実用を兼ね備えた、目立つメッセージ発信する製品が製造出来る。
【図面の簡単な説明】
【００１１】
【図１】  キーホルダーを例にした樹脂製の筐体におさめられた生産工程要部斜視図。
【図２】  キーホルダーを例にした無通電時と通電時のデザインの見え方
【符号の説明】
ア  筐体
イ  点滅用ＩＣ基盤回路
ウ  印刷物の素材や造形物
エ  通電時は黒くなる液晶パネル
オ  太陽電池等の電源
カ  透明樹脂の蓋またはエポキシ樹脂
キ  電池接続用接点
ク  液晶パネルへの電気信号用接点
【図１】
0003109325.tif 000003
【図２】
0003109325.tif 000004
【手続補正書】
【提出日】平成17年1月5日(2005.1.5)
【手続補正１】
【補正対象書類名】実用新案登録請求の範囲
【補正対象項目名】全文
【補正方法】変更
【補正の内容】
【実用新案登録請求の範囲】
【請求項１】
電源が入っていない時は透明で、通電時には画面の一部又は全体が黒くなる液晶パネルと、その液晶パネルの背面に配置する印刷物や造形物と、太陽電池パネルなどの電源と、液晶パネルを点滅させるように制御するＩＣ基盤やコンデンサ−モジュ−ルを組み合わせて、これら構成部品を入れるケ−スと、構成部品をケ−スに封入する蓋またはエポキシ樹脂からなる、液晶パネルが点滅するように電流を流すとその背面に配置してある印刷物や造形物が見え隠れるように印刷物や造形物を液晶パネルの背面に設けたことを特徴とする点滅する液晶パネルを使用した製品。
(57)【要約】      （修正有）【課題】完成型の名刺に読み易い形での必要な情報のスムーズな付加の方法と、刷り直しでコストがかかることと、持ち運びの簡便性の解消。【解決手段】名刺大の情報付加用名刺型シール２は各自で印字した上で、完成型の名刺１に情報付加用名刺型シール２を設けることにより、この課題を解消する。【選択図】図１
0003109322.tif 000002
【実用新案登録請求の範囲】
【請求項１】
完成型の名刺に、情報を追加するための名刺型のシール。
【考案の詳細な説明】
【技術分野】
【０００１】  本考案は、完成型の名刺に情報を付加するための名刺型のシールに関する。
【背景技術】
【０００２】  従来の完成型の名刺に、情報を付加する際には、名刺の刷り直しや、手書きで記載していた。
【考案の開示】
【考案が解決しようとする課題】
【０００３】  しかし、これでは新たな刷り直しによるコストがかかることや、手書きでは人により癖があり読み辛いことがある。また、あらかじめ全ての情報を記載したくない場合に、情報を伝達したい人にのみ伝える際には、手書きで付加するか、名刺を作り分ける必要があり、不便である。
【課題を解決する為の手段】
【０００４】  そこで、完成型の名刺に情報を付加するために、各自で情報を印字して使用するシールを考案した。
【考案の効果】
【０００５】  よって、本考案の情報付加用名刺型シールにより、情報を伝えたい人のみに、スムーズに且つ、読み易い形で伝達することができる。また、シールに印刷用の専用のソフトを設けることにより、各自で印字したシールを容易に作成することができ、コストの低額化が図れる。
【考案を実施するための最良の形態】
【０００６】  本考案に係わる情報付加用名刺型シール（２）は各自で図２のように印字した上で、図１に示すように、完成型の名刺（１）に１枚をはがした情報付加用名刺型シール（２）を設ける。形態としては、常に持ち歩くという事と、名刺を入れるケースなどに納まるという事があるため、シールの土台は（３）は名刺大である。
【実施例１】
【０００７】  上記実施形態の印字済みの情報付加用名刺型シール（２）は完成型の名刺（１）に、完成型の名刺（１）の情報およびデザイン性を阻害しない透明の情報付加用名刺型シール（２）を設ける。
【実施例２】
【０００８】  次に、本考案の第２実施例を図３にて説明する。
この実施形態の情報付加用名刺型シール（５）は完成型の名刺（４）に、完成型の名刺（４）の中で付加する情報を強調するために、図４のように着色、もしくはデザインの施された素材に印字した情報付加用名刺型シール（５）を設ける。
【実施例３】
【０００９】  また、本考案の第３実施例を図５にて説明する。
この実施形態の情報付加用名刺型シール（７）は完成型の名刺（６）に、完成型の名刺（６）の中で付加する情報を強調するために、図６のように着色、もしくはデザインが施され形状も違う情報付加用名刺型シール（７）に印字して設ける。
【産業上の利用の可能性】
【００１０】  本考案は、企業の中で名刺を使用する際に、部署が変わるごとの名刺の作り直しを軽減することが可能である。また、企業人でも個人においても前以て完成型の名刺に印字しないことで、付加する際に目立つタイプの情報付加用名刺型シールを使用することでアピールにつながることが挙げられる。
【００１１】  また、シールの形状を変えたものや、シールを作成する際に使用するソフトを時期ごとに売り出すことにより、購買促進につながる。ソフトの形態もＣＤ−ＲＯＭなどで売り出す以外にも、ネット上からのダウンロードによって使用することも可能であり、独自性が打ち出せる。
【図面の簡単な説明】
【００１２】
【図１】  本考案に係わる情報付加用名刺型シールを、完成型の名刺に使用した正面図である。
【図２】  本考案に係わる各自で印字した情報付加用名刺型シールの正面図である。
【図３】  本考案に係わる情報付加用名刺型シールを、完成型の名刺に使用した第２実施例の正面図である。
【図４】  本考案に係わる各自で印字した情報付加用名刺型シールの第２実施例の正面図である。
【図５】  本考案に係わる情報付加用名刺型シールを、完成型の名刺に使用した第２実施例の正面図である。
【図６】  本考案に係わる各自で印字した情報付加用名刺型シールの第３実施例の正面図である。
【符号の説明】
【００１３】    １，４，６    完成型の名刺
２，５，７    情報付加用名刺型シール
３            シール土台
【図１】
0003109322.tif 000003
【図２】
0003109322.tif 000004
【図３】
0003109322.tif 000005
【図４】
0003109322.tif 000006
【図５】
0003109322.tif 000007
【図６】
0003109322.tif 000008
【手続補正書】
【提出日】平成16年12月13日(2004.12.13)
【手続補正１】
【補正対象書類名】実用新案登録請求の範囲
【補正対象項目名】請求項１
【補正方法】変更
【補正の内容】
【請求項１】
名刺に情報を追加するためのシールであって、前記名刺と同形状の土台状に情報を印字したシール部を貼付した情報付加用名刺型シール。